(57)【要約】【課題】  予期しないメール受信があっても、手間をかけずに画像を撮影し保存する。【解決手段】  携帯電話１は、アンテナ２７と、画像を撮影する撮影レンズ２３と、通信データ及び撮影データを記憶するＲＡＭ３４と、撮影中にアンテナ２７が受信したデータをＲＡＭ３４が記憶した場合に撮影データのデータ量とＲＡＭ３４のメモリ残量とを比較する制御部３２とを備えている。制御部３２は、上記比較の結果、撮影データのデータ量がメモリ残量よりも大きい場合、撮影データのデータ量を小さくしてＲＡＭ３４に記憶させるようになっている。【選択図】図３
2005159816.tif 000002
【特許請求の範囲】
【請求項１】
無線通信手段と、
撮影手段と、
前記無線通信手段によって通信されるデータと、前記撮影手段による撮影画像の撮影データとを記憶する記憶手段と、
前記撮影手段が駆動している際に前記無線通信手段によって受信したデータを前記記憶手段が記憶した場合、前記撮影データのデータ量と前記記憶手段の記憶残量とを比較する比較手段と、
この比較手段による比較の結果、前記撮影データのデータ量が前記記憶残量よりも大きい場合、前記撮影データのデータ量を小さくして前記記憶手段に記憶させる制御手段と
を備えたことを特徴とする複合機器。
【請求項２】
前記撮影画像を表示する表示手段と、
前記比較手段による比較の結果、前記撮影データのデータ量が前記記憶残量よりも大きい場合に、前記制御手段によってデータ量を小さくして記憶させるか否かについての選択を前記撮影画像に代えて前記表示手段に表示させる表示制御手段と
を更に備えたことを特徴とする請求項１に記載の複合機器。
【請求項３】
前記無線通信手段はメールデータの通信を行うことを特徴する請求項１または２に記載の複合機器。
【請求項４】
無線通信部と撮影部と記憶部とを備えた電子機器における記憶制御方法であって、
前記撮影部が駆動している際に前記無線通信部によってデータを受信し、前記記憶部に記憶した場合、前記撮影部による撮影データのデータ量と前記記憶部の記憶残量とを比較する比較ステップと、
この比較ステップにて比較した結果、前記撮影データのデータ量が前記記憶残量よりも大きい場合、前記撮影データのデータ量を小さくして前記記憶部に記憶させる制御ステップとからなることを特徴とする記憶制御方法。
【発明の詳細な説明】
【技術分野】
【０００１】
本発明は、無線通信機能及び撮影機能を有する複合機器と、電子機器の記憶制御方法とに関する。
【背景技術】
【０００２】
近年、カメラ機能やメール機能が装備された携帯電話においては、カメラ機能が高性能化されており、データ量の大きい画像を撮影し、撮影データをメモリに保存することが可能となっている（例えば、特許文献１参照）。
【０００３】
従来、このような携帯電話では、撮影される画像のデータ量が記憶手段の記憶残量よりも大きいと、メモリ不足である旨が操作者に報知されるようになっている。このような場合には、操作者は、記憶手段の記憶残量よりもデータ量が小さくなるよう、撮影される画像の画像サイズや画質の設定を変更してから撮影を行っている。
【特許文献１】特開２００２−１４０２６５号公報
【発明の開示】
【発明が解決しようとする課題】
【０００４】
しかしながら、例えば、撮影モードが起動している際に、予期しないメールを受信し、それよりメモリ残量に変化が生じた場合、撮影サイズ等の設定を再度行ってから撮影を行うと手間がかかり、操作者にとって不便であった。
【０００５】
本発明の課題は、予期しないメール受信に関わらず、手間をかけずに画像を撮影し撮影データを保存することができる複合機器と記憶制御方法とを提供することである。
【課題を解決するための手段】
【０００６】
請求項１記載の発明は、
無線通信手段と、
撮影手段と、
前記無線通信手段によって通信されるデータと、前記撮影手段による撮影画像の撮影データとを記憶する記憶手段と、
前記撮影手段が駆動している際に前記無線通信手段によって受信したデータを前記記憶手段が記憶した場合、前記撮影データのデータ量と前記記憶手段の記憶残量とを比較する比較手段と、
この比較手段による比較の結果、前記撮影データのデータ量が前記記憶残量よりも大きい場合、前記撮影データのデータ量を小さくして前記記憶手段に記憶させる制御手段と
を備えたことを特徴とする。
【０００７】
ここで、画像とは、静止画のことでも良いし、動画のことでも良い。
また、記憶手段の記憶残量とは、記憶手段の記憶領域のうち、情報が記憶されていない領域のことである。
また、撮影データのデータ量を小さくする方法としては、撮影画像の画像サイズを小さくする方法や、画質を低くする方法などがある。
【０００８】
請求項１記載の発明によれば、撮影データのデータ量が記憶手段の記憶残量よりも大きい場合、つまりメモリ不足の場合には、撮影データのデータ量を小さくして撮影データを記憶するので、従来と異なり、設定を変更してから撮影を行う必要がない。従って、予期しないメール受信をした場合であっても、記憶手段の記憶残量に関わらず、手間をかけずに画像を撮影し、撮影データを保存することができる。
【０００９】
請求項２記載の発明は、請求項１記載の複合機器において、
前記撮影画像を表示する表示手段と、
前記比較手段による比較の結果、前記撮影データのデータ量が前記記憶残量よりも大きい場合に、前記制御手段によってデータ量を小さくして記憶させるか否かについての選択を前記撮影画像に代えて前記表示手段に表示させる表示制御手段と
を更に備えたことを特徴とする。
【００１０】
請求項２記載の発明によれば、撮影データのデータ量が記憶手段の記憶残量よりも大きい場合には、データ量を小さくして撮影データを記憶するか、撮影データを破棄するかを決定するので、不必要な撮影データを記憶させずに破棄することができる。
【００１１】
請求項３記載の発明は、請求項１または２記載の携帯端末において、
前記無線通信手段はメールデータの通信を行うことを特徴する。
【００１２】
請求項３記載の発明によれば、撮影中にメールデータを受信することによって記憶手段の記憶残量が少なくなった場合でも、手間をかけずに画像を撮影し、撮影データを保存することができる。
【００１３】
請求項４記載の発明は、無線通信部と撮影部と記憶部とを備えた電子機器における記憶制御方法であって、
前記撮影部が駆動している際に前記無線通信部によってデータを受信し、前記記憶部に記憶した場合、前記撮影部による撮影データのデータ量と前記記憶部の記憶残量とを比較する比較ステップと、
この比較ステップにて比較した結果、前記撮影データのデータ量が前記記憶残量よりも大きい場合、前記撮影データのデータ量を小さくして前記記憶部に記憶させる制御ステップとからなることを特徴とする。
【００１４】
請求項４記載の発明によれば、撮影データのデータ量が記憶部の記憶残量よりも大きい場合、つまりメモリ不足の場合には、撮影データのデータ量を小さくして撮影データを記憶させることにより、従来と異なり、設定を変更してから撮影を行う必要がなくなる。従って、予期しないメール受信をした場合であっても、記憶部の記憶残量に関わらず、手間をかけずに画像を撮影し、撮影データを保存することができる。
【発明の効果】
【００１５】
請求項１，４記載の発明によれば、予期しないメール受信をした場合であっても、記憶手段の記憶残量に関わらず、手間をかけずに画像を撮影し、撮影データを保存することができる。
【００１６】
請求項２記載の発明によれば、請求項１記載の発明と同様の効果を得ることができるのは勿論のこと、不必要な撮影データを記憶させずに破棄することができる。
【００１７】
請求項３記載の発明によれば、請求項１または２記載の発明と同様の効果を得ることができるのは勿論のこと、画像撮影中にメールデータを受信することによって記憶手段の記憶残量が少なくなった場合でも、手間をかけずに画像を撮影し、撮影データを保存することができる。
【発明を実施するための最良の形態】
【００１８】
＜実施の形態＞
以下、本発明の実施の形態を図面に基づいて説明する。なお、本実施の形態においては、複合機器として、カメラ機能を備えた携帯電話について説明する。
図１は、本実施の形態に係る携帯電話１の開状態を示す図であり、（ａ）は正面図、（ｂ）は背面図である。
【００１９】
図１（ａ）に示すように、携帯電話１の表面には、図形や画像等の各種情報を表示するとともに操作者に対して操作案内を表示するメイン表示部（表示手段）１１が配設されている。メイン表示部１１はカラー液晶から形成されており、ＱＶＧＡ相当の解像度を有している。
【００２０】
メイン表示部１１の上方には、通話モード等において受話音声を出力するスピーカ１２が配設されている。
メイン表示部１１の下方には、操作者が各種情報の入力や機能指示等を行うためのキー操作部１４が配設されている。
【００２１】
キー操作部１４には、撮影モードを動作させる場合に操作するカメラキー１４１や、メールモードを動作させるためのメールキー１４２、各モードにおいて決定を指示する決定キー１４３、各モードにおいて上下左右方向に選択操作を行うためのカーソルキー１４４等が配設されている。
【００２２】
なお、カメラキー１４１は、各モードにおいて特定の機能を動作させる際にも操作されるようになっている。また、決定キー１４３は、撮影モードにおいてシャッターを指示する際にも操作されるようになっている。
【００２３】
また、キー操作部１４には、アドレス帳モードを動作させる場合に操作するアドレス帳キー１４５や、各モードにおいてキャンセルを指示するクリアキー１４６、文字入力及びダイアル入力を指示するためのテンキー１４７、インターネット接続を指示するためのＷｅｂキー１４８の他、オフフックキー１４９、オンフック／電源ＯＮ／ＯＦＦキー１４０等も配設されている。
【００２４】
なお、アドレス帳キー１４５は、各モードにおいて特定の機能を動作させる際にも操作されるようになっている。
キー操作部１４の下方には、通話モード等において送話音声を集音するマイク１５が配設されている。
【００２５】
また、図１（ｂ）に示すように、携帯電話１の裏面には、サブ表示部２１が配設されている。サブ表示部２１はカラー液晶から形成されており、蓋が閉じた状態でも簡単なメッセージを操作者に知らせることができるようになっている。
【００２６】
サブ表示部２１の上方には、マイク２２が配設されている。マイク２２は、撮影モード等において録音機能を動作させた際に集音するためのものである。
サブ表示部２１の下方には、撮影モード等において静止画や動画を撮影する撮影レンズ（撮影手段）２３が配設されている。
【００２７】
撮影レンズ２３の側方には、報知用ＬＥＤ２４とフラッシュ用ＬＥＤ２５とが配設されている。報知用ＬＥＤ２４は、着信或いは警告等を撮影者等に報知するために点灯するものである。フラッシュ用ＬＥＤ２５は、撮影時において被写体周辺を明るくするために点灯するものである。
【００２８】
また、フラッシュ用ＬＥＤ２５の側方には、通信サービス会社のサーバと通信するためのアンテナ（無線通信手段）２７が伸縮可能に設けられている。アンテナ２７は、所定の周波数帯、具体的には、通信サービス会社が採用する携帯用の無線プロトコルで使用する周波数帯に対応している。
【００２９】
撮影レンズ２３の下方には、着信音或いは警告音等を出力して操作者等に報知する報知用スピーカ２６が配設されている。
【００３０】
また、携帯電話１は、図２に示すように、各種の演算処理を行うことによって携帯電話１の動作やモードの切り替えを制御する制御部３２（比較手段、制御手段、表示制御手段）を備えている。
制御部３２は、通信データ処理部３２１、システムＲＯＭ３２２及びオーディオインターフェイス３２３を有している。
【００３１】
通信データ処理部（無線通信手段）３２１には、ＣＬＥＰ系ボコーダや音声復号処理回路、パケットデータ生成回路、パケットデータ復元回路などが備えられている。これにより、通信データ処理部３２１は、音声データやメールデータ、静止画データ、動画データを含むパケットデータの入出力制御を行うようになっている。具体的には、通信データ処理部３２１は、携帯電話１が撮影モードであるか否かに関わらず、無線部３１より入力されたデータについて予め設定された端末認証方式に基づいてデータの入出力を許可するようになっている。また、通信データ処理部３２１は、ＷＷＷ接続の制御を行うようになっている。
【００３２】
システムＲＯＭ３２２は、ＯＳ基本システムと、加入者や端末固有に設定された認証データと、通信プロトコル処理プログラムとを記憶している。なお、認証データとしては、携帯電話１に設定された電話番号やメールアドレス等がある。
【００３３】
オーディオインターフェイス３２３は、マイク１５，２２及びスピーカ１２と接続されており、音声の入出力を制御するようになっている。具体的には、オーディオインターフェイス３２３は、音声通話や録音の際にマイク１５，２２から入力された音声をＣＥＬＰ系音声符号化方式に基づいて圧縮符号化するようになっている。また、オーディオインターフェイス３２３は、音声通話や動画再生の際に通信データ処理部３２１やアドレス・データバス処理部３３より入力された圧縮音声データを復号化処理し、スピーカ１２から出力させるようになっている。
【００３４】
この制御部３２には、無線部３１を介してアンテナ２７が接続されている。
無線部３１は、アンテナ２７を介して入力された無線信号の中から携帯電話１宛の無線信号を抽出し、制御部３２に出力するようになっている。また、無線部３１は、制御部３２より出力される各種デジタルデータを無線信号に変換してアンテナ２７に出力するようになっている。なお、本実施の形態においては、無線信号形式としてＣＤＭＡ方式が、変復調方式としてＱＰＳＫ変復調方式が採用されている。
【００３５】
制御部３２には、制御部３２の周辺回路（図２中、破線で囲まれた部分）とのデータの入出力タイミング等を制御するアドレス・データバス処理部３３が接続されている。
このアドレス・データバス処理部３３には、ＲＡＭ（記憶手段）３４やプログラムＲＯＭ３５、音源ＩＣ３６、表示モジュール系ドライバ３７、撮影デバイス（撮影手段）３９、ＤＳＰ３８等が接続されている。
【００３６】
ＲＡＭ３４には、制御部３２が動作する上で必要なデータが記憶されるようになっている。また、ＲＡＭ３４には、アドレス帳データやメールデータ、圧縮符号化された静止画データや動画データ等、携帯電話及び撮影装置として必要なデータも記憶されるようになっている。
【００３７】
プログラムＲＯＭ３５は、電気的に書き換え可能なＦｌａｓｈ  ＲＯＭで構成されている。プログラムＲＯＭ３５には、例えば、撮影モードで動作する画像圧縮伸張処理プログラム（撮影画像の画像サイズ変更プログラムや画質変更（圧縮率の変更）プログラムを含む）等、各種モードで動作するアプリケーションソフトウエアが格納されている。
【００３８】
音源ＩＣ３６には、デジタルデータ化されたメロディ音源情報が格納されている。音源ＩＣ３６には、ＡＭＰ３６０を介して報知用スピーカ２６が接続されている。
【００３９】
表示モジュール系ドライバ３７は、メイン表示部１１、サブ表示部２１、報知用ＬＥＤ２４及びフラッシュ用ＬＥＤ２５による表示出力や報知出力を制御するものである。
【００４０】
撮影デバイス３９は、ＣＣＤやＣＭＯＳで構成されている。この撮影デバイス３９は、撮影レンズ２３によって撮影された静止画や動画のイメージを電気信号にして出力するようになっている。
【００４１】
ＤＳＰ３８は、撮影デバイス３９から出力されるアナログの電気信号をデジタル信号に変換するようになっている。
【００４２】
続いて、撮影モードにおける携帯電話１の動作について、図３を参照しつつ説明する。
【００４３】
まず、操作者がカメラキー１４１やカーソルキー１４４、決定キー１４３等を操作することにより、撮影モードが起動され（ステップＳ１）、撮影される画像の画像サイズや画質等の撮影条件が設定される。
【００４４】
これにより、携帯電話１は画像撮影可能な状態となる。本実施の形態においては、この状態において携帯電話１がメールデータを受信することとして説明する。
具体的には、携帯電話１にメール受信があると、アンテナ２７は前記サーバを介してメールデータを受信し（ステップＳ２）、受信されたメールデータはＲＡＭ３４に記憶される。
【００４５】
次に、携帯電話１が画像を撮影する（ステップＳ３）。
画像が撮影されると、制御部３２は、撮影データのデータ量とＲＡＭ３４の記憶残量との大小を比較する（ステップＳ４）。
【００４６】
撮影データのデータ量がＲＡＭ３４の記憶残量以下である場合には、制御部３２は予め撮影前に設定された撮影条件で撮影データをＲＡＭ３４に保存させる（ステップＳ５）。そして、撮影データが保存されると、制御部３２は撮影を終了させる（ステップＳ６）。
【００４７】
一方、撮影データのデータ量がＲＡＭ３４の記憶残量よりも大きい場合、つまりメモリ不足である場合には、メイン表示部１１は、撮影された画像の表示に代えて、図４に示すように、データ量を小さくして撮影データを保存するか、撮影データを破棄するかについて選択を指示する旨を表示する（ステップＳ７）。
【００４８】
この表示に対し、操作者はテンキー１４７の「１」キー及び「２」キーによって選択を行う。
【００４９】
操作者によって「１」が入力された場合には、制御部３２は撮影画像の画像サイズ及び画質の少なくとも一方を変更することによって撮影データのデータ量を小さくする（ステップＳ９）。撮影データを小さくしたら、制御部３２は、上記と同様に、撮影データをＲＡＭ３４に保存させ（ステップＳ５）、撮影を終了させる（ステップＳ６）。
このように、メモリ不足の場合には、携帯電話１はデータ量を小さくして撮影データを保存するので、操作者は、予期しないメールの受信等によりメモリ不足になっても、撮影条件の設定を変更してから再度撮影を行う必要がない。
【００５０】
操作者によって「２」が入力された場合には、制御部３２は撮影データを消去し（ステップＳ１０）、上記と同様に撮影を終了させる（ステップＳ６）。これにより、不必要な撮影データを記憶させずに破棄することができる。
【００５１】
以上のような携帯電話１によれば、画像撮影中にメールデータを受信すること等によってメモリ不足となった場合であっても、設定を変更してから撮影を行う手間を省くことができる。従って、ＲＡＭ３４の記憶残量に関わらず、手間をかけずに画像を撮影し、撮影データを保存することができる。
【００５２】
＜実施の形態の変形例＞
続いて、上記実施の形態の変形例について説明する。なお、上記実施の形態と同一の構成要素には同一の符号を付し、その説明を省略する。
【００５３】
本変形例における携帯電話１は、上記実施の形態で説明した携帯電話１と同様の構成を有しているが、撮影データのデータ量がＲＡＭ３４の記憶残量よりも大きい場合には、制御部３２は自動的に撮影画像の画像サイズ及び画質の少なくとも一方を変更することによってデータ量を小さくし、撮影データをＲＡＭ３４に保存させるようになっている。
このような携帯電話１によっても、従来と異なり、設定を変更してから撮影を行う手間を省くことができる。従って、ＲＡＭ３の記憶残量に関わらず、手間をかけずに画像を撮影し、撮影データを保存することができる。
【００５４】
なお、上記の実施の形態においては、データ量を小さくして撮影データを保存するか否かについて選択を指示する旨をメイン表示部１１に表示させることとして説明したが、キー操作部１４のキーを点滅させることなどによって表示することとしても良い。
【図面の簡単な説明】
【００５５】
【図１】本実施の形態における携帯電話を示す図であり、（ａ）は表面側の図、（ｂ）は裏面側の図である。
【図２】本実施の形態における携帯電話の概略構成を示したブロック図である。
【図３】撮影モードにおける携帯電話の動作を説明するための図である。
【図４】メイン表示部の表示画面を示す図である。
【符号の説明】
【００５６】
１      携帯電話（複合機器）
１１    メイン表示部（表示手段）
２３    撮影レンズ（撮影手段）
２７    アンテナ（無線通信手段）
３２    制御部（比較手段、制御手段、表示制御手段）
３４    ＲＡＭ（記憶手段）
３９    撮影デバイス（撮影手段）
３２１  通信データ処理部（無線通信手段）
【図１】
2005159816.tif 000003
【図２】
2005159816.tif 000004
【図３】
2005159816.tif 000005
【図４】
2005159816.tif 000006